(57)【要約】【課題】機器に不要な衝撃等の外力を与えることがなく、特に、ハードディスクドライブの動作中に振動や衝撃が与えられることを防げる映像表示装置を提供する。【解決手段】液晶表示部１０、および内蔵されたハードディスクドライブ１３に振動、衝撃を加えることのないように支持脚部１２の回転を規制するロック部１４を設けたので、液晶表示部１０の画面角度調整等による不要な衝撃等の外力を与えることがない。特に、ハードディスクドライブ１３の動作中に振動や衝撃が与えられることがないので、ハードディスクドライブ１３の損傷を防ぐことができる。【選択図】図２
2007267260.tif 000002
【特許請求の範囲】
【請求項１】
機器全体を支持するスタンドと、
前記スタンドに回転自在に支持されて表示画面に映像を表示する表示部と、
前記表示部を前記スタンドに対して回転自在に支持する支持脚部と、
前記支持脚部の回転を規制する回転規制部とを有することを特徴とする映像表示装置。
【請求項２】
機器全体を支持するスタンドと、
前記スタンドに回転自在に支持されて表示画面に映像を表示する表示部と、
前記表示部を前記スタンドに対して回転自在に支持する支持脚部と、
前記表示部の角度調整要求があったとき前記支持脚部の回転を規制する回転規制部とを有することを特徴とする映像表示装置。
【請求項３】
機器全体を支持するスタンドと、
前記スタンドに回転自在に支持されて表示画面に映像を表示し、ハードディスクドライブを搭載した表示部と、
前記表示部を前記スタンドに対して回転自在に支持する支持脚部と、
前記表示部の角度調整要求があったとき前記支持脚部の回転を規制する回転規制部とを有することを特徴とする映像表示装置。
【請求項４】
機器全体を支持するスタンドと、
前記スタンドに回転自在に支持されて表示画面に映像を表示し、ハードディスクドライブを搭載した表示部と、
前記表示部を前記スタンドに対して回転自在に支持する支持脚部と、
前記ハードディスクドライブへの録画動作時に前記支持脚部の回転を規制する回転規制部とを有することを特徴とする映像表示装置。
【請求項５】
前記表示部は、番組録画要求に基づいて前記表示部の角度調整を禁止するＯＳＤ(On Screen Display)表示を前記表示部に画面表示する請求項１から４のいずれか１項に記載の映像表示装置。
【請求項６】
前記表示部は、番組録画の完了に基づいて前記表示部の角度調整が可能となったことを示すＯＳＤ(On Screen Display)表示を前記表示部に画面表示する請求項１から４のいずれか１項に記載の映像表示装置。
【発明の詳細な説明】
【技術分野】
【０００１】
本発明は、チューナで受信した映像信号に基づく画面表示を行う映像表示装置に関し、特に、機器に不要な衝撃等の外力を与えることがなく、特に、ハードディスクドライブの動作中に振動や衝撃が与えられることを防げる映像表示装置に関する。
【背景技術】
【０００２】
近年、テレビジョン放送はこれまでのアナログ放送からデジタル放送への移行が進みつつある。デジタル放送は高繊細で高画質の映像を提供できることから、より大画面化された表示部を有する映像表示装置も普及しつつある。
【０００３】
このような映像表示装置では、近年、液晶パネル等の表示器を使用し、奥行きサイズが薄型化された表示部を有するものが主流となりつつあり、薄型化された表示部を回転させて所望の方向に向けることができるものが提案されている。液晶パネル等の表示器は精密部品であり、特に、近年の大サイズ化された表示部を所望の方向に角度調整する場合には過大な外力を与えないようにすることが重要である。
【０００４】
また、表示器に液晶パネルを使用し、薄型化を図った映像表示装置で、録画用のハードディスクドライブを搭載するものが提案されている。このような映像表示装置として裏番組録画機能、タイマー録画機能を搭載したテレビジョン受像機がある（例えば、特許文献１参照。）。
【特許文献１】特開２００２−３５９７９６号公報
【発明の開示】
【発明が解決しようとする課題】
【０００５】
しかし、特許文献１に記載された発明によると、録画中にユーザによって映像表示装置に振動や衝撃が与えられると、ハードディスクドライブに振動や衝撃が及ぶため、ハードディスクドライブのヘッドがディスクに接触し、ディスクに損傷を与えるおそれがある。また、場合によってはハードディスクドライブがクラッシュして再起不能になるという問題もある。映像表示装置に振動を与える要因として、表示部の角度を調整する操作が挙げられるが、ユーザには表示部がどの程度まで角度調整が可能なのか判断しにくいことから、不慣れな角度調整を調整限界量まで行ってしまう結果、表示部に衝撃を与えてしまうことがある。
【０００６】
従って、本発明の目的は、機器に不要な衝撃等の外力を与えることがなく、特に、ハードディスクドライブの動作中に振動や衝撃が与えられることを防げる映像表示装置を提供することにある。
【課題を解決するための手段】
【０００７】
本発明は、上記の目的を達成するため、機器全体を支持するスタンドと、前記スタンドに回転自在に支持されて表示画面に映像を表示する表示部と、前記表示部を前記スタンドに対して回転自在に支持する支持脚部と、前記支持脚部の回転を規制する回転規制部とを有する映像表示装置を提供する。
【０００８】
また、本発明は、上記の目的を達成するため、機器全体を支持するスタンドと、前記スタンドに回転自在に支持されて表示画面に映像を表示する表示部と、前記表示部を前記スタンドに対して回転自在に支持する支持脚部と、前記表示部の角度調整要求があったとき前記支持脚部の回転を規制する回転規制部とを有する映像表示装置を提供する。
【０００９】
また、本発明は、上記の目的を達成するため、機器全体を支持するスタンドと、前記スタンドに回転自在に支持されて表示画面に映像を表示し、ハードディスクドライブを搭載した表示部と、前記表示部を前記スタンドに対して回転自在に支持する支持脚部と、前記表示部の角度調整要求があったとき前記支持脚部の回転を規制する回転規制部とを有する映像表示装置を提供する。
【００１０】
また、本発明は、上記の目的を達成するため、機器全体を支持するスタンドと、前記スタンドに回転自在に支持されて表示画面に映像を表示し、ハードディスクドライブを搭載した表示部と、前記表示部を前記スタンドに対して回転自在に支持する支持脚部と、前記ハードディスクドライブへの録画動作時に前記支持脚部の回転を規制する回転規制部とを有する映像表示装置を提供する。
【発明の効果】
【００１１】
本発明によれば、機器に不要な衝撃等の外力を与えることがなく、特に、ハードディスクドライブの動作中に振動や衝撃が与えられることを防げる。
【発明を実施するための最良の形態】
【００１２】
（第１の実施の形態）
図１は、本発明の第１の実施の形態に係る映像表示装置としてのＴＶ装置を示す正面図である。
【００１３】
このＴＶ装置１は、カラー液晶表示パネルからなり、表示画面１０Ａにカラー映像を表示する液晶表示部１０と、映像表示装置全体を固定系に搭載するためのテレビスタンド１１と、液晶表示部１０をテレビスタンド１１に回転自在に支持する支持脚部１２と、液晶表示部に内蔵される番組録画用のハードディスクドライブ１３とを有して構成されている。このＴＶ装置１は、図示しないリモートコントローラによって電源のＯＮ／ＯＦＦ、選局等の操作が行われる。
【００１４】
図２は、本発明の第１の実施の形態に係る映像表示装置の支持脚部を示す部分斜視図である。同図においては、説明を容易にするため、支持脚部１２上に設けられる液晶表示部１０の図示を省略し、前面位置Ａと背面位置Ｂのみ示すとともにロック部１４の構成を示すためにテレビスタンド１１を部分切断図示している。
【００１５】
支持脚部１２は、テレビスタンド１１に一体的に設けられる基台部１１０と、基台部１１０に固定される軸１１１と、基台部１１０の外周に回転自在に設けられる筒状の外筒部１２０と、外筒部１２０の内側に設けられる緩衝材１２２とを有する。
【００１６】
また、支持脚部１２の周囲には、テレビスタンド１１に内蔵されて外筒部１２０の外周面に離接するストッパ１４０を備えたロック部１４を有する。
【００１７】
基台部１１０は、機械的強度の大なる金属材料で形成されており、軸１１１をねじ固定によって上面に一体的に設けられている。
【００１８】
外筒部１２０は、基台部１１０に固定された軸１１１を収容する楕円溝１２１を上面に有し、楕円溝１２１における軸１１１の位置に応じて生じる摩擦に基づいて外筒部１２０の回転を規制する。
【００１９】
緩衝材１２２は、外筒部１２０の内壁面に沿って設けられており、一部が外筒部１２０に設けられる楕円溝１２１の両端に配置される厚さを有している。外筒部１２０の相対回転によって軸１１１が楕円溝１２１を移動し、端部近傍に達すると緩衝材１２２に接触するように形成されており、楕円溝１２１の端部に軸１１１が衝突することによる衝撃の発生を抑制する。
【００２０】
楕円溝１２１は、外筒部１２０と基台部１１０の相対回転に基づく軸１１１の軌跡より大なる曲率を有して形成されており、そのことによって軸１１１が楕円溝１２１の端部寄りに配置されるにつれて軸１１１と楕円溝１２１との摩擦が大になるように形成されている。
【００２１】
図３は、本発明の第１の実施の形態に係る映像表示装置のロック部を示し、（ａ）はロック部が非稼動で外筒部が回転自在の状態を示す概略図、（ｂ）はロック部が稼動し外筒部の回転が規制された状態を示す概略図である。
【００２２】
ロック部１４は、図３（ａ）に示すようにストッパ１４０と、ストッパ１４０を駆動する駆動源であるモータ１４１と、モータ１４１の駆動力をストッパ１４０に伝達する歯車１４２とをケース１４３に収容して形成されており、ストッパ１４０の先端部１４０Ａは突状に形成されている。また、ストッパ１４０には歯車１４２の回転運動を往復運動に変換するラック部１４０Ｂを有している。
【００２３】
このロック部１４は、図３（ｂ）に示すようにモータ１４１の回転を歯車１４２を介して伝達することによりストッパ１４０をロック部１４から突出させる。突出したストッパ１４０は外筒部１２０の外周に接触するとともに、テレビスタンド１１に固定される突起部１５に当接することによって外筒部１２０の回転を規制するようになっている。
【００２４】
図４は、本発明の第１の実施の形態に係る映像表示装置の概略ブロック図である。
【００２５】
チューナ部１５０は、アンテナ１５０Ａを介して受信する電波から映像信号を取り出して主制御部１５２に出力する。図示しないリモートコントローラからの遠隔操作信号は遠隔操作信号受信部１５１で受信されて主制御部１５２に入力する。また、電源部１６１は、主制御部１５２を介して映像表示装置全体に電力を供給する。音声出力部１５３は、電波から抽出された音声信号をスピーカ１５４に出力する。映像出力部１５５は、映像信号を液晶表示部１５６に出力する。液晶表示部１５６は図１の液晶表示部１０に対応している。
【００２６】
ハードディスクドライブ１５７は、録画予約制御部１５８で設定された録画予約に基づく番組の録画データを記録する。また、番組の視聴中に手操作で録画操作を実行することに基づく録画データの記録も可能である。また、ハードディスクドライブ１５７は加速度センサを内蔵しており、液晶表示部１０の角度調整が行われた際の振動を検出すると振動検出信号を主制御部１５２に出力する。このハードディスクドライブ１５７は図１のハードディスクドライブ１３に対応している。
【００２７】
回転制御部１５９は、ロック部１４のＯＮ又はＯＦＦを制御するものである。ロック部１４のＯＮによって、図２に示す外筒部１２０の回転が規制され、ロック部１４のＯＦＦによって外筒部１２０の回転規制が解除される。
【００２８】
図５は、回転制御部の構造を示し、（ａ）はモータ１４１が正転方向Ｒ１に回転するときの回路図、（ｂ）はモータ１４１が逆転方向Ｒ２に回転するときの回路図である。
【００２９】
図５（ａ）において、スイッチＳＷ１は回路をＯＮ／ＯＦＦするスイッチであり、スイッチＳＷ２，ＳＷ３は正逆を切り替えるスイッチである。これらスイッチＳＷ１，ＳＷ２，およびＳＷ３は図４に示す主制御部１５２によって制御される。スイッチＳＷ２，ＳＷ３が図示するようにＡ側に設定されているとき、スイッチＳＷ１を投入することによってモータ１４１が正転方向Ｒ１に回転する。
【００３０】
また、図５（ｂ）に示すように、スイッチＳＷ２，ＳＷ３が図示するようにＢ側に設定されているとき、図５（ａ）に示す状態から極性が反転し、スイッチＳＷ１を投入することによってモータ１４１が逆転方向Ｒ２に回転する。
【００３１】
図６は、映像表示装置で録画動作を行うときの回転制御部の動作を示すタイミングチャートである。ここでは、ある番組の録画予約に基づく録画開始前から録画終了後までの動作について示している。
【００３２】
まず、時刻ｔ１において、スイッチＳＷ２，ＳＷ３が図５（ｂ）に示すＢ側からＡ側に切り替えられる。次に、時刻ｔ２においてスイッチＳＷ１が投入される。このことによって図３（ａ）に示すロック部１４のストッパ１４０がケース１４３より突出し、突起部１５および外筒部１２０の外周に密接することにより外筒部１２０の回転が規制される。回転制御部１５９は、ストッパ１４０の密接に基づいてモータ１４１の駆動負荷が大になったことを検出すると、時刻ｔ３においてスイッチＳＷ１を開放し、モータ１４１への通電を停止する。これにより、ストッパ１４０が外筒部１２０の外周に密接した状態となって録画が開始される。
【００３３】
次に、録画終了が近づいた時刻ｔ４において、スイッチＳＷ２，ＳＷ３が図５（ａ）に示すＡ側からＢ側に切り替えられる。次に、録画終了となる時刻ｔ５においてスイッチＳＷ１が投入される。このことによって図３（ｂ）に示すようにロック部１４のストッパ１４０がケース１４３側に移動し、外筒部１２０の外周から離れることにより外筒部１２０の回転規制が解除される。回転制御部１５９は、スイッチＳＷ１の投入から一定時間経過後の時刻ｔ６においてスイッチＳＷ１を開放し、そのことによってモータ１４１への通電を停止する。
【００３４】
図７は、液晶表示部に表示される画面角度調整禁止を通知するＯＳＤ表示であり、（ａ）は録画開始前のＯＳＤ表示、（ｂ）は録画開始後のＯＳＤ表示である。
【００３５】
主制御部１５２は、予約録画又はユーザ操作に基づく番組録画要求があると、図７（ａ）に示すように液晶表示部１０の表示画面１０Ａに「画面角度調整禁止」のＯＳＤ表示１０Ｂを表示させる。
【００３６】
また、主制御部１５２は、番組録画開始後に液晶表示部１０の角度調整要求があったとき、図７（ｂ）に示すように液晶表示部１０の表示画面１０Ａに「録画中＿画面角度調整禁止」のＯＳＤ表示１０Ｂを表示させる。この場合の角度調整要求とは、液晶表示部１０を回転させようとすることによりハードディスクドライブ１３に内蔵された加速度センサから主制御部１５２に振動検出信号が出力されたときをいう。
【００３７】
図８は、本発明の第１の実施の形態に係る映像表示装置の動作を示すフローチャートである。以下に、図１から図７にかけての図面を参照しつつ動作を説明する。
【００３８】
まず、番組録画要求があると（Ｓ１），主制御部１５２は液晶表示部１０の表示画面１０Ａに「画面角度調整禁止」のＯＳＤ表示１０Ｂを表示させる（Ｓ２）。次に、回転制御部１５９はスイッチＳＷ２，ＳＷ３がＡ側に切り替わっていることを確認し（Ｓ３：ＹＥＳ）、スイッチＳＷ１を投入することによって（Ｓ４）モータ１４１を正転方向Ｒ１に回転させる（Ｓ５）。この正転方向Ｒ１の回転に基づいてロック部１４のストッパ１４０がケース１４３から突出し、突起部１５および外筒部１２０の外周に密接することにより外筒部１２０の回転が規制される（Ｓ６）。モータ１４１への通電は、電源部１６１でモータ１４１の駆動負荷が予め定めた値を超えたときにスイッチＳＷ１を開放することにより停止される（Ｓ７）。この後、番組録画が開始される。
【００３９】
図８においては、番組録画の開始をスイッチＳＷ１の開放後としたが、番組録画の開始とスイッチＳＷ１の開放が同時に行われても良い。
【００４０】
図９は、番組録画の開始から終了にかけての映像表示装置の動作を示すフローチャートである。
【００４１】
番組録画の開始後に（Ｓ１０）、ユーザが液晶表示部１０を回転させようとすると（Ｓ１１：ＹＥＳ）、ハードディスクドライブ１３に内蔵された加速度センサから主制御部１５２に振動検出信号が出力される。次に、主制御部１５２は、振動検出信号の入力に基づいて液晶表示部１０の表示画面１０Ａに「録画中＿画面角度調整禁止」のＯＳＤ表示１０Ｂを表示させる（Ｓ１２）。
【００４２】
次に、番組録画が終了すると（Ｓ１３）、回転制御部１５９はスイッチＳＷ２，ＳＷ３がＢ側に切り替わっていることを確認し（Ｓ１４：ＹＥＳ）、スイッチＳＷ１を投入することによって（Ｓ１５）モータ１４１を逆転方向Ｒ２に回転させる（Ｓ１６）。この逆転方向Ｒ２の回転に基づいてロック部１４のストッパ１４０が外筒部１２０の外周から離れることにより外筒部１２０の回転規制が解除される（Ｓ１７：ＹＥＳ）。回転制御部１５９は、スイッチＳＷ１の投入から一定時間経過後にスイッチＳＷ１を開放し、そのことによってモータ１４１への通電を停止する（Ｓ１８）。次に、主制御部１５２は、液晶表示部１０の表示画面１０Ａに「録画完了＿画面角度調整可能」のＯＳＤ表示を行う（Ｓ１９）。
【００４３】
（第１の実施の形態の効果）
上記した第１の実施の形態によると、液晶表示部１０、および内蔵されたハードディスクドライブ１３に振動、衝撃を加えることのないように支持脚部１２の外筒部１２０の回転を規制するロック部１４を設けたので、液晶表示部１０の画面角度調整等による不要な衝撃等の外力を与えることがない。特に、ハードディスクドライブ１３の動作中に振動や衝撃が与えられることがないので、ハードディスクドライブ１３の損傷を防ぐことができる。
【００４４】
なお、第１の実施の形態では、ハードディスクドライブ１３に内蔵された加速度センサから主制御部１５２に振動検出信号が出力されることに基づいて角度調整要求が生じたと判断したが、例えば、ハードディスクドライブ１３と独立して加速度センサを設けるか、あるいは支持脚部１２の回転を電気的、あるいは光学的に検出するセンサを設け、このセンサの検出信号に基づいて角度調整要求を判断するようにしても良い。
【００４５】
また、第１の実施の形態において、ロック部１４の駆動源にモータ１４１を用いた構成を説明したが、例えば、駆動源にソレノイドを用いてストッパ１４０を電磁駆動するようにしても良い。
【００４６】
（第２の実施の形態）
図１０は、本発明の第２の実施の形態に係る映像表示装置のロック部を示し、（ａ）はロック部が非稼動で外筒部が回転自在の状態を示す概略図、（ｂ）はロック部が稼動し外筒部の回転が規制された状態を示す概略図である。
【００４７】
第２の実施の形態に係るロック部１４は、図１０（ａ）に示すように支持脚部１２の外筒部１２０に接する歯車１７０，１７１に対し、歯車１７０，１７１と当接する突状の先端部１４０Ａを有するストッパ１４０を備え、ストッパ１４０を駆動する駆動源であるモータ１４１と、モータ１４１の駆動力をストッパ１４０に伝達する歯車１４２とをケース１４３に収容して形成されている。また、ストッパ１４０には歯車１４２の回転運動を往復運動に変換するラック部１４０Ｂを有している。外筒部１２０には、歯車１７０，１７１と噛合する部分に図示しない凸凹が形成されている。
【００４８】
このロック部１４は、図１０（ｂ）に示すようにモータ１４１の回転を歯車１４２を介して伝達することによりストッパ１４０をロック部１４から突出させる。突出したストッパ１４０は歯車１７０，１７１に接触することによって外筒部１２０の回転を規制するようになっている。
【００４９】
（第２の実施の形態の効果）
上記した第２の実施の形態によると、第１の実施の形態の好ましい効果に加えて１対の歯車１７０，１７１による外筒部１２０の優れた拘束力が得られる。特に、支持脚部１２の外径が大なるＴＶ装置１に適する。
【００５０】
なお、本発明は、上記した各実施の形態に限定されず、本発明の技術思想を逸脱あるいは変更しない範囲内で種々な組み合わせ、変形が可能である。
【図面の簡単な説明】
【００５１】
【図１】本発明の第１の実施の形態に係る映像表示装置としてのＴＶ装置を示す正面図である。
【図２】本発明の第１の実施の形態に係る映像表示装置の支持脚部を示す部分斜視図である。
【図３】本発明の第１の実施の形態に係る映像表示装置のロック部を示し、（ａ）はロック部が非稼動で外筒部が回転自在の状態を示す概略図、（ｂ）はロック部が稼動し支持脚部の回転が規制された状態を示す概略図である。
【図４】本発明の第１の実施の形態に係る映像表示装置の概略ブロック図である。
【図５】回転制御部の構造を示し、（ａ）はモータ１４１が正転方向Ｒ１に回転するときの回路図、（ｂ）はモータ１４１が逆転方向Ｒ２に回転するときの回路図である。
【図６】映像表示装置で録画動作を行うときの回転制御部の動作を示すタイミングチャートである。
【図７】液晶表示部に表示される画面角度調整禁止を通知するＯＳＤ表示であり、（ａ）は録画開始前のＯＳＤ表示、（ｂ）は録画開始後のＯＳＤ表示である。
【図８】本発明の第１の実施の形態に係る映像表示装置の動作を示すフローチャートである。
【図９】番組録画の開始から終了にかけての映像表示装置の動作を示すフローチャートである。
【図１０】本発明の第２の実施の形態に係る映像表示装置のロック部を示し、（ａ）はロック部が非稼動で外筒部が回転自在の状態を示す概略図、（ｂ）はロック部が稼動し支持脚部の回転が規制された状態を示す概略図である。
【符号の説明】
【００５２】
１…ＴＶ装置、１０…液晶表示部、１０Ａ…表示画面、１０Ｂ…ＯＳＤ表示、１１…テレビスタンド、１２…支持脚部、１３…ハードディスクドライブ、１４…ロック部、１５…突起部、１０…基台部、１１１…軸、１２０…外筒部、１２１…楕円溝、１２２…緩衝材、１４０…ストッパ、１４０Ａ…先端部、１４０Ｂ…ラック部、１４１…モータ、１４２…歯車、１４３…ケース、１５０…チューナ部、１５０Ａ…アンテナ、１５１…遠隔操作信号受信部、１５２…主制御部、１５３…音声出力部、１５４…スピーカ、１５５…映像出力部、１５６…液晶表示部、１５７…ハードディスクドライブ、１５８…録画予約制御部、１５９…回転制御部、１６１…電源部、１７０，１７１…歯車、ＳＷ１，ＳＷ２，ＳＷ３…スイッチ
【図１】
2007267260.tif 000003
【図２】
2007267260.tif 000004
【図３】
2007267260.tif 000005
【図４】
2007267260.tif 000006
【図５】
2007267260.tif 000007
【図６】
2007267260.tif 000008
【図７】
2007267260.tif 000009
【図８】
2007267260.tif 000010
【図９】
2007267260.tif 000011
【図１０】
2007267260.tif 000012